(57)【要約】【課題】本発明は、極めて商品価値の高い画期的な腰掛機能付き杖を提供することを目的とする。【解決手段】束ね状態とすることで棒状のグリップ３となる複数のグリップ構成材２を杖本体１の上部に展開自在に設けて、このグリップ構成材２を束ね状態から展開することで人が座す座り部４が形成されるように前記グリップ構成材２を構成し、このグリップ構成材２を束ね状態において前記杖本体１に対して起立状態から回動して屈曲した突出状態となるように倒動自在に設けたものである。【選択図】図１
2008253637.tif 000002
【特許請求の範囲】
【請求項１】
束ね状態とすることで棒状のグリップとなる複数のグリップ構成材を杖本体の上部に展開自在に設けて、このグリップ構成材を束ね状態から展開することで人が座す座り部が形成されるように前記グリップ構成材を構成し、このグリップ構成材を束ね状態において前記杖本体に対して起立状態から回動して屈曲した突出状態となるように倒動自在に設けたことを特徴とする腰掛機能付き杖。
【請求項２】
前記グリップ構成材を前記杖本体に対して起立状態で展開した際、人が座す前記座り部として機能し、前記グリップ構成材を束ね状態において前記杖本体に対して起立状態から回動して屈曲した突出状態とした際、前記棒状のグリップとして機能するように前記グリップ構成材を切り替え自在に構成したことを特徴とする請求項１記載の腰掛機能付き杖。
【請求項３】
前記グリップ構成材を前記杖本体の上部に放射方向に展開自在に設け、このグリップ構成材を展開した際、所定の面積を有する前記座り部が形成されるように構成したことを特徴とする請求項１，２のいずれか１項に記載の腰掛機能付き杖。
【請求項４】
前記グリップ構成材を前記杖本体の上部に設けられる回動体に設けて、前記杖本体に対して起立状態から回動して屈曲した突出状態となるように倒動自在に設けたことを特徴とする請求項１〜３のいずれか１項に記載の腰掛機能付き杖。
【請求項５】
前記グリップ構成材を束ね状態とすることで形成される前記グリップの横断面形状が略円形状となるように構成したことを特徴とする請求項１〜４のいずれか１項に記載の腰掛機能付き杖。
【請求項６】
前記グリップ構成材として板状のグリップ構成材を採用し、このグリップ構成材を束ね状態とした際、隣接するグリップ構成材同士が重合して中空棒状のグリップとなるように前記グリップ構成材を構成したことを特徴とする請求項１〜５のいずれか１項に記載の腰掛機能付き杖。
【請求項７】
前記グリップ構成材を展開した際、該グリップ構成材同士の間に架設状態となる座体を具備することを特徴とする請求項１〜６のいずれか１項に記載の腰掛機能付き杖。
【請求項８】
前記座体は、束ね状態とした前記グリップ構成材同士の間に収納されるように構成されていることを特徴とする請求項７記載の腰掛機能付き杖。
【請求項９】
束ね状態とすることで棒状のグリップとなる複数のグリップ構成材の一部若しくは全部を杖本体の上部に水平回動自在に設けて展開自在とし、このグリップ構成材を束ね状態から展開することで人が座す座り部が形成されるように構成したことを特徴とする腰掛機能付き杖。
【発明の詳細な説明】
【技術分野】
【０００１】
本発明は、腰掛機能付き杖に関するものである。
【背景技術】
【０００２】
従来から、例えば特開平９−２０１２１５号に開示される腰掛機能付き杖（以下、従来例という。）が提案されている。
【０００３】
この従来例は、杖本体（主脚）の上部に一対の座用部材（板材）を枢着し、この座用部材の座面同士を合わせた柄使用状態と、該両座面が水平となる腰掛使用状態となるように切り替えられるように構成したものである。尚、座用部材夫々の先端部には貫通孔から成るグリップが設けられており、また、杖本体には折り畳み自在な副脚が設けられている。
【０００４】
【特許文献１】特開平９−２０１２１５号公報
【発明の開示】
【発明が解決しようとする課題】
【０００５】
ところで、従来例は、前述したように腰掛けする部位が巾の広い一対の板材で構成される為、腰掛けとして使用する場合には、安定した腰掛け状態が得られることになるが、その反面、杖として使用する場合には、そのグリップが板材に貫通孔を設けただけ（通常の杖に設けられる棒状のグリップと全く相違する巾の広い板形状）であり、持ちにくくて非常に使いづらく、杖本来の機能が損なわれているのが現状である。
【０００６】
本発明者は、前述した問題点に鑑み、種々の実験・研究を繰り返し行った結果、極めて商品価値の高い画期的な腰掛機能付き杖を開発した。
【課題を解決するための手段】
【０００７】
添付図面を参照して本発明の要旨を説明する。
【０００８】
束ね状態とすることで棒状のグリップ３となる複数のグリップ構成材２を杖本体１の上部に展開自在に設けて、このグリップ構成材２を束ね状態から展開することで人が座す座り部４が形成されるように前記グリップ構成材２を構成し、このグリップ構成材２を束ね状態において前記杖本体１に対して起立状態から回動して屈曲した突出状態となるように倒動自在に設けたことを特徴とする腰掛機能付き杖に係るものである。
【０００９】
また、前記グリップ構成材２を前記杖本体１に対して起立状態で展開した際、人が座す前記座り部４として機能し、前記グリップ構成材２を束ね状態において前記杖本体１に対して起立状態から回動して屈曲した突出状態とした際、前記棒状のグリップ３として機能するように前記グリップ構成材２を切り替え自在に構成したことを特徴とする請求項１記載の腰掛機能付き杖に係るものである。
【００１０】
また、前記グリップ構成材２を前記杖本体１の上部に放射方向に展開自在に設け、このグリップ構成材２を展開した際、所定の面積を有する前記座り部４が形成されるように構成したことを特徴とする請求項１，２のいずれか１項に記載の腰掛機能付き杖に係るものである。
【００１１】
また、前記グリップ構成材２を前記杖本体１の上部に設けられる回動体５に設けて、前記杖本体１に対して起立状態から回動して屈曲した突出状態となるように倒動自在に設けたことを特徴とする請求項１〜３のいずれか１項に記載の腰掛機能付き杖に係るものである。
【００１２】
また、前記グリップ構成材２を束ね状態とすることで形成される前記グリップ３の横断面形状が略円形状となるように構成したことを特徴とする請求項１〜４のいずれか１項に記載の腰掛機能付き杖に係るものである。
【００１３】
また、前記グリップ構成材２として板状のグリップ構成材２を採用し、このグリップ構成材２を束ね状態とした際、隣接するグリップ構成材２同士が重合して中空棒状のグリップ３となるように前記グリップ構成材２を構成したことを特徴とする請求項１〜５のいずれか１項に記載の腰掛機能付き杖に係るものである。
【００１４】
また、前記グリップ構成材２を展開した際、該グリップ構成材２同士の間に架設状態となる座体６を具備することを特徴とする請求項１〜６のいずれか１項に記載の腰掛機能付き杖に係るものである。
【００１５】
また、前記座体６は、束ね状態とした前記グリップ構成材２同士の間に収納されるように構成されていることを特徴とする請求項７記載の腰掛機能付き杖に係るものである。
【００１６】
また、束ね状態とすることで棒状のグリップ３となる複数のグリップ構成材２の一部若しくは全部を杖本体１の上部に水平回動自在に設けて展開自在とし、このグリップ構成材２を束ね状態から展開することで人が座す座り部４が形成されるように構成したことを特徴とする腰掛機能付き杖に係るものである。
【発明の効果】
【００１７】
本発明は上述のように構成したから、良好な腰掛け機能が得られ、しかも、この腰掛け機能をグリップとして機能する部位に設けたにもかかわらず、通常の杖のグリップと同様の使用感（握った感触や操作感など）が得られ、杖本来の機能が損なわれることなく非常に便利であるなど極めて商品価値の高い画期的な腰掛機能付き杖となる。
【発明を実施するための最良の形態】
【００１８】
好適と考える本発明の実施形態を、図面に基づいて簡単に説明する。
【００１９】
腰掛けとして使用する場合、例えば杖本体１に対して起立状態のグリップ構成材２を束ね状態から展開することで座り部４とし、この杖本体１を脚とした座り部４に腰をおろして腰掛けることができる。
【００２０】
また、杖として使用する場合、グリップ構成材２を束ね状態とすることで得られる棒状のグリップ３を握持して使用する。このグリップ構成材２を束ね状態とした棒状のグリップ３は、その周面をしっかり握る（例えばわしづかみ状態で握る）ことができ、従来から提案される杖と同様の使用感が得られることになる。
【００２１】
また、本発明は、グリップ構成材２を束ね状態において杖本体１に対して起立状態から回動して屈曲した突出状態となるように倒動自在に設けており、この点においても従来から提案される杖と同様の使用感が得られることになる。
【００２２】
従って、グリップ３を構成するグリップ構成材２を展開することで形成される座り部４が広くて安定したものである為、良好な腰掛け機能が得られ、しかも、この腰掛け機能をグリップ３として機能する部位に設けたにもかかわらず、通常の杖のグリップと同様の使用感（握った感触や操作感など）が得られ、杖本来の機能が損なわれることがなく非常に便利である。
【実施例１】
【００２３】
本発明の具体的な実施例１について図面に基づいて説明する。
【００２４】
本実施例は、束ね状態とすることで棒状のグリップ３となる複数のグリップ構成材２を杖本体１の上部に展開自在に設けて、このグリップ構成材２を束ね状態から展開することで人が座す座り部４が形成されるように前記グリップ構成材２を構成し、このグリップ構成材２を束ね状態において前記杖本体１に対して起立状態から回動して屈曲した突出状態となるように倒動自在に設けたものである。
【００２５】
具体的には、グリップ３は、複数（６枚）のグリップ構成材２を杖本体１の上部に展開自在に設けて構成されており、グリップ構成材２を束ね状態において前記杖本体１に対して起立状態から回動して屈曲した突出状態においては棒状のグリップ３としての機能を発揮し、杖本体１に対して起立状態においてグリップ構成材２を束ね状態から展開することで人が座す座り部４としての機能を発揮する（グリップ構成材２を用途に合わせた切り替え構造としている。）。
【００２６】
各グリップ構成材２は、図１〜４に図示したように適宜な金属製の部材を形成した正面視花びら形状（中央部が最も巾広となる形状）の板状体であり、その基端部には一対のリング部７が設けられ、このリング部７は、グリップ構成材２を杖本体１の上部に設けられる回動体５に枢着連結するための部位である。尚、グリップ構成材２の形状や数や素材は適宜変更し得るものである。
【００２７】
従って、グリップ構成材２は、束ね状態とすることで一本の棒状体（グリップ３）が形成され、また、回動体５に対して擺動させることで束ね状態から放射方向に展開自在（花びらがつぼみの状態から開いたような状態）となり、このグリップ構成材２を展開することで略水平状に所定の面積を有する部位（座り部４）が杖本体１の上部に形成される。
【００２８】
また、グリップ構成材２は、適度な柔軟性を具備しており、よって、展開して座り部４とした際、この座り部４は適度なクッション性を発揮することになる。
【００２９】
また、グリップ構成材２は、図５に図示したように横断面視湾曲状に形成されており、束ね状態とした際、隣接するグリップ構成材２同士が重合（円状に配されるグリップ構成材２が順番に内外に重合）した中空棒状のグリップ３が形成されることになり、このグリップ３の横断面形状は略円形状となる。
【００３０】
符号12はグリップ構成材２の束ね状態を保持するバンド体である。
【００３１】
また、本実施例は、グリップ構成材２を展開した際、該グリップ構成材２同士の間に架設状態となる座体６を具備する。
【００３２】
具体的には、この座体６は、図２に図示したように適宜な生地を形成した環状体であり、その外周縁をグリップ構成材２の先端部に付設している。
【００３３】
また、座体６の内周縁には回動体５から延設される付勢体８（ゴム）が設けらており、この付勢体８は、グリップ構成材２を束ね状態とした際、グリップ構成材２同士の間に座体６を引き込み付勢して収納するためのものであり、グリップ構成材２を展開した際、この付勢体８の引き込み付勢に抗しながら座体６は拡開せしめられてグリップ構成材２同士の間に架設状態となるように構成されている。
【００３４】
この座体６は、グリップ構成材２と共に座り部４を構成し、適宜なクッション性を具備して座り心地の良い座り部４とする機能を発揮し、更に、グリップ構成材２同士間に架設されることで該グリップ構成材２の開き過ぎを防止する過開放阻止体としての機能も発揮する。
【００３５】
回動体５は、図３，４に図示したように適宜な金属製の部材を形成した球状体であり、その周面所定位置に平面視六角形状の凹部５ａが設けられている。符号９はグリップ構成材２のリング部７を枢着するための孔である。
【００３６】
この回動体５は、杖本体１の上部に自転回動自在に配されるものであり、よって、この回動体５に設けられるグリップ構成材２は、束ね状態において回動体５の回動により杖本体１に対して起立状態から回動して屈曲した突出状態となるように倒動自在となる。
【００３７】
杖本体１は、上体１Ａと、この上体１Ａの下部に連設する下体１Ｂとで構成されている。
【００３８】
上体１Ａは、図１〜３に図示したように適宜な金属製の部材で形成した断面円形状の棒状体であり、その上端部（頂部）には凹部10が設けられている。
【００３９】
この凹部10は、図３に図示したように前述した回動体５を回動自在に配設する部位に設定され、この凹部10を構成する周壁の一部が切欠されて開口部10ａが設けられている。
【００４０】
この開口部10ａは、前述した束ね状態としたグリップ構成材２の倒動を許容し、この倒動させたグリップ構成材２を杖本体１に対して所定角度（９０°）に回動して屈曲した突出状態を保持する部位である。
【００４１】
また、上体１Ａの上部には凹部10内に配設した回動体５を抜け止め係止する抜け止め部材11が設けられている。
【００４２】
この抜け止め部材11は、図３に図示したように適宜な金属製の部材で形成したリング状体であり、凹部10の上縁部に螺着自在に設けられており、この抜け止め部材11が装着されることで凹部10内に配設した回動体５は抜け止め係止されることになる。
【００４３】
また、抜け止め部材11は、一部が切欠されてＣ字状に設けられており、この切欠部11ａは前述した上体１Ａの開口部10ａと一致してグリップ構成材２の倒動を許容する部位である。
【００４４】
また、抜け止め部材11は、その下面内周縁部に湾曲面11ｂが形成されており、この湾曲面11ｂは、上体１Ａに対する抜け止め部材11の螺着度合い（締付け度合い）により回動体５に対する押圧力が可変するように構成されている。
【００４５】
従って、回動体５に対する抜け止め部材11の当接が弱い状態若しくは当接していない状態においては、回動体５が回動自在となるため束ね状態のグリップ構成材２が倒動自在となり（人体における骨盤と大腿骨との連設部位（関節）のような構造である。）、回動体５に対して抜け止め部材11を強く当接させることで回動体５の回動を阻止することができ（回動体５を回動させたり、この回動を阻止したりする際にはその都度抜け止め部材11の締付け力を可変する。）、即ち、図６に図示したように束ね状態としたグリップ構成材２における杖本体１に対する起立状態と、この起立状態から９０°回動して屈曲した突出状態となるように回動を阻止することができ、よって、杖本体１に対するグリップ構成材２の屈曲角度を可変した種々の使用状態が得られることになる（グリップ３として使用する場面や好みにより杖本体１に対するグリップ３の角度を適宜可変することができる。）。
【００４６】
尚、グリップ構成材２の起立状態と、この起立状態から９０°回動して屈曲した突出状態との間の任意の角度で回動を阻止する構造としても良い。
【００４７】
また、上体１Ａの下端部中央位置にはスライド棒体13が垂設されており、このスライド棒体13は後述する下体１Ｂを昇降自在に連結するための部位である。
【００４８】
また、上体１Ａには４本の脚体14が設けられている。
【００４９】
この脚体14は、図１，２に図示したように適宜な金属製の部材で形成した棒状体であり、この各脚体14の上端部を上体１Ａの下端部周縁位置に９０°間隔で枢着している。
【００５０】
また、脚体14の下端寄り部は、後述する下体１Ｂにリンク部材15を介して連設されており、上体１Ａに対する下体１Ｂの上昇に伴い、脚体14の下端部が閉じた状態から外方へ開いた状態となり、上体１Ａに対する下体１Ｂの効果に伴い、開いた状態から内方へ閉じた状態となるように折り畳み自在に構成されている。
【００５１】
従って、上体１Ａに対して下体１Ｂを上昇させた際、杖本体１には脚体14による脚が形成される。尚、この脚体14と後述する下体１Ｂとが同時に接地して脚として機能するようにしても良い。
【００５２】
下体１Ｂは、図１，２に図示したように適宜な金属製の部材で形成した棒状体であり、この下体１Ｂ単独でも前述した脚体14と同様に脚として機能する。
【００５３】
また、下体１Ｂの上部には前記上体１Ａに設けたスライド棒体13に被嵌連結するガイド部16が設けられている。
【００５４】
また、下体１Ｂは、周面長さ方向に４本の凹溝17が設けられており、この各凹溝17は内方へ閉じた脚体14を収納する脚体収納部17であり、この脚体収納部17に脚体14を収納した際、脚体14の外面が下体１Ｂ（杖本体１）の表面に対して略面一若しくは没入するように構成されている。この脚体14を収納した状態においては、上体１Ａに対する下体１Ｂの上昇は阻止されており、下体１Ｂを上昇する際には、予め脚体14を開放する方向に擺動させてこの上昇阻止状態を解除することになる。
【００５５】
符号18は樹脂製のスリップ防止材である。
【００５６】
以上の構成からなる本実施例に係る腰掛機能付き杖の使用状態について説明する。
【００５７】
杖として使用する場合、図１に図示したように棒状のグリップ３を杖本体１に対して屈曲した突出状態で使用する。
【００５８】
次に、腰掛けとして使用する場合、図６に図示したように杖本体１に対して屈曲した突出状態のグリップ３を起き動させて起立状態とするとともに、図７に図示したように杖本体１の上部に起立状態とした棒状のグリップ３を構成する束ね状態のグリップ構成材２を展開することで座り部４とし、この杖本体１を脚とした座り部４に腰をおろして腰掛けることができる。この際、杖本体１の脚としては、図７に図示したように下体１Ｂを上体１Ａに対して上昇させることで外方に開いた脚体14を脚としても良いし、脚体14を使用せず杖本体１の下体１Ａをそのまま脚としても良い。
【００５９】
本実施例は上述のように構成したから、グリップ３を構成するグリップ構成材２を展開することで形成される座り部４が広くて安定したものである為、良好な腰掛け機能が得られ、しかも、この腰掛け機能をグリップ３として機能する部位に設けたにもかかわらず、通常の杖のグリップと同様の使用感（握った感触や操作感など）が得られ、杖本来の機能が損なわれることがなく非常に便利である。
【００６０】
また、本実施例は、グリップ構成材２を杖本体１の上部に放射方向に展開自在に設け、このグリップ構成材２を展開した際、所定の面積を有する座り部４が形成されるように構成したから、小さな棒状のグリップ３を形成するグリップ構成材２を展開するだけで広い面状の座り部４が形成されることになり、座り心地の良い安定した腰掛け機能が得られることになる。
【００６１】
また、本実施例は、グリップ構成材２を杖本体１の上部に設けられる回動体５に設けて、杖本体１に対して起立状態から回動して屈曲した突出状態となるように倒動自在に設けたから、棒状のグリップ３における起立状態と屈曲した突出状態との切り替えが簡易に且つ確実に行われることになる。
【００６２】
また、本実施例は、グリップ構成材２を束ね状態とすることで形成される前記グリップ３の横断面形状が略円形状となるように構成したから、握った手が痛くなることはなく、何ら違和感のない握り状態が得られることになる。
【００６３】
また、本実施例は、グリップ構成材２を束ね状態とした際、中空棒状のグリップ３となるようにグリップ構成材２を構成したから、軽量でありながら強度を具備し、グリップとしての機能を確実に発揮することになる。
【００６４】
また、本実施例は、グリップ構成材２として板状のグリップ構成材２を採用し、このグリップ構成材２を束ね状態とした際、隣接するグリップ構成材２同士が重合するように構成したから、何ら違和感のない使用感が得られるなど、より一層グリップとしての機能を確実に発揮することになる。
【００６５】
また、グリップ構成材２を展開した際、該グリップ構成材２同士の間に架設状態となる座体６を具備するから、クッション性に秀れて座り心地の良い座り部４が得られることになる。
【００６６】
また、本実施例は、座体６は、束ね状態としたグリップ構成材２同士の間に収納されるように構成されているから、高機能な座り部４を非常に体裁良くコンパクトにまとめることができることになる。
【実施例２】
【００６７】
本発明の具体的な実施例２について図面に基づいて説明する。
【００６８】
本実施例は、図８，９に図示したように杖本体１を構成する上体１Ａに筒状のスライド体21を昇降自在に設けたものであり、このスライド体21は上昇した際、展開したグリップ構成材２の基端部を支持して該グリップ構成材２の開き過ぎを防止する過開放防止体である。
【００６９】
尚、本実施例では、座体６は設けられていないが設けても良いのは勿論である。
【００７０】
その余は実施例１と同様のものである。
【実施例３】
【００７１】
本発明の具体的な実施例３について図面に基づいて説明する。
【００７２】
本実施例は、束ね状態とすることで棒状のグリップ３となる複数のグリップ構成材２の一部若しくは全部を杖本体１の上部に水平回動自在に設けて展開自在とし、このグリップ構成材２を束ね状態から展開することで人が座す座り部４となるように構成したものである。
【００７３】
具体的には、図10，11に図示したように杖本体１を構成する上体１Ａの上部に複数（８枚）の薄板状のグリップ構成材２を水平回動自在に設けたものであり、最上部のグリップ構成材２以外の各グリップ構成材２を所定角度回動させることで放射状に展開して座り部４を形成するものである。
【００７４】
符号19はグリップ構成材２の束ね状態を保持するバンド体である。
【００７５】
その余は実施例１と同様のものである。
【図面の簡単な説明】
【００７６】
【図１】実施例１を示す斜視図である。
【図２】実施例１の使用状態説明図である。
【図３】実施例１に係る要部の分解斜視図である。
【図４】実施例１に係る要部の断面図である。
【図５】実施例１に係る要部の断面図である。
【図６】実施例１に係る要部の動作説明断面図である。
【図７】実施例１に係る要部の動作説明断面図である。
【図８】実施例２に係る要部の説明斜視図である。
【図９】実施例２に係る要部の動作説明断面図である。
【図１０】実施例３に係る要部を示す斜視図である。
【図１１】実施例３に係る要部の動作説明図である。
【符号の説明】
【００７７】
１  杖本体
２  グリップ構成材
３  グリップ
４  座り部
５  回動体
６  座体
【図１】
2008253637.tif 000003
【図２】
2008253637.tif 000004
【図３】
2008253637.tif 000005
【図４】
2008253637.tif 000006
【図５】
2008253637.tif 000007
【図６】
2008253637.tif 000008
【図７】
2008253637.tif 000009
【図８】
2008253637.tif 000010
【図９】
2008253637.tif 000011
【図１０】
2008253637.tif 000012
【図１１】
2008253637.tif 000013